(57)【要約】【課題】チャンネルアップ／ダウンキーを利用して、ユーザにとってより使い勝手が良いチャンネル切替が可能な放送受信機を提供する。【解決手段】テレビジョン受像機において、優先モード設定手段（優先モード設定プログラム１５４ａ等）は、優先チャンネル切替モードを設定又は解除し、優先チャンネル設定手段（優先チャンネル設定プログラム１５４ｃ）は優先チャンネルを設定し、優先チャンネル切替手段（優先チャンネル切替プログラム１５４ｅ）は、優先モード設定手段により優先チャンネル切替モードが設定されている場合に、チャンネルアップキー又はチャンネルダウンキーのうちの何れか一方のキーの操作に基づいて、優先チャンネル設定手段により設定された優先チャンネルに切り替える。【選択図】図１
2009055106.tif 000002
【特許請求の範囲】
【請求項１】
優先チャンネル切替モードを設定又は解除する優先モード設定手段と、
優先チャンネルを設定する優先チャンネル設定手段と、
前記優先モード設定手段により前記優先チャンネル切替モードが設定されている場合に、チャンネルアップキー又はチャンネルダウンキーのうちの何れか一方のキーの操作に基づいて、前記優先チャンネル設定手段により設定された前記優先チャンネルに切り替える優先チャンネル切替手段と、
を備えることを特徴とする放送受信機。
【請求項２】
前記優先モード設定手段は、前記優先チャンネル切替モードを設定又は解除するための優先モード設定キーを備え、
前記優先モード設定キーによる第１の操作に基づいて、前記優先チャンネル切替モードを設定又は解除する処理を実行する第１制御手段と、
前記優先モード設定キーによる第２の操作に基づいて、前記第１制御手段による処理と異なる予め設定された処理を実行する第２制御手段と、
を備えることを特徴とする請求項１に記載の放送受信機。
【請求項３】
前記優先チャンネル設定手段は、前記優先チャンネルを設定するための優先チャンネル設定キーを備え、
前記優先チャンネル設定キーによる第３の操作に基づいて、選局中のチャンネルを前記優先チャンネルとして設定する処理を実行する第３制御手段と、
前記優先チャンネル設定キーによる第４の操作に基づいて、前記第３制御手段による処理とは異なる予め設定された処理を実行する第４制御手段と、
を備えることを特徴とする請求項１又は２に記載の放送受信機。
【請求項４】
前記優先チャンネル設定手段は、所定時間以上視聴されたチャンネルを前記優先チャンネルとして設定する処理を実行する第５制御手段を備えることを特徴とする請求項１又は２に記載の放送受信機。
【請求項５】
優先チャンネル切替モードを設定又は解除する優先モード設定手段と、
優先チャンネルを設定する優先チャンネル設定手段と、
前記優先モード設定手段により前記優先チャンネル切替モードが設定されている場合に、チャンネルアップキー又はチャンネルダウンキーのうちの何れか一方のキーの操作に基づいて、前記優先チャンネル設定手段により設定された前記優先チャンネルに切り替える優先チャンネル切替手段と、
前記優先モード設定手段は、前記優先チャンネル切替モードを設定又は解除するための優先モード設定キーを備え、
前記優先モード設定キーによる第１の操作に基づいて、前記優先チャンネル切替モードを設定又は解除する処理を実行する第１制御手段と、
前記優先モード設定キーによる第２の操作に基づいて、前記第１制御手段による処理と異なる予め設定された処理を実行する第２制御手段と、
を備え、
前記優先チャンネル設定手段は、前記優先チャンネルを設定するための優先チャンネル設定キーを備え、
前記優先チャンネル設定キーによる第３の操作に基づいて、選局中のチャンネルを前記優先チャンネルとして設定する処理を実行する第３制御手段と、
前記優先チャンネル設定キーによる第４の操作に基づいて、前記第３制御手段による処理とは異なる予め設定された処理を実行する第４制御手段と、
所定時間以上視聴されたチャンネルを前記優先チャンネルとして設定する処理を実行する第５制御手段と、
を備えることを特徴とする放送受信機。
【発明の詳細な説明】
【技術分野】
【０００１】
本発明は、チャンネルアップ／ダウンキーによるチャンネル切替が可能な放送受信機に関する。
【背景技術】
【０００２】
テレビジョン受像機等の放送受信機では、チャンネルアップキー又はチャンネルダウンキーの何れかを押下して、順にチャンネルを切り替えていく方法が多く用いられている。
しかしながら、この方法では、視聴を希望するチャンネルに切り替えられるまでに何度もボタンを押下しなくてはならない場合があり、手間がかかって使い勝手の良いものではなかった。特に、チャンネル数が多い場合や、ある番組の視聴中に、少しだけ他の番組内容を確認したい時であっても、元のチャンネルに戻るのに時間がかかるため、元のチャンネルの番組を見逃したり、ユーザがストレスを感じる要因となっていた。
【０００３】
そこで、元のチャンネルから他のチャンネルに移動して一定時間が経過した場合に、元のチャンネルに復帰するための操作手段が設けられたデジタル放送受信機が提案されている（特許文献１参照）。これによれば、あるチャンネルの放送を視聴中にコマーシャルが放送され、一時的に他のチャンネルに移動した場合であっても、即座に元のチャンネルへ復帰することができ、元のチャンネルの見逃しを防ぐことができる。
しかしながら、ユーザが視聴を希望するチャンネルが元々視聴していたチャンネルとは限らないため、視聴を希望するチャンネルを元々視聴していた場合でなければ、視聴を希望するチャンネルに即座に切り替えることはできない。
そこで、ワンタッチ選局ボタンを押下するだけで、ユーザが視聴を希望する優先度の高い番組を即座にディスプレイ装置に表示させることができる放送受信装置が提案されている（特許文献２参照）。
【特許文献１】特開２００３−８７６６７号公報
【特許文献２】特開２００７−４３４０５号公報
【発明の開示】
【発明が解決しようとする課題】
【０００４】
しかしながら、上記特許文献２では、チャンネルを順に切り替えるためのチャンネルアップ／ダウンキーとワンタッチ選局ボタンが離れていて、片手での操作が困難なケースもあり、操作性が悪いという問題があった。また、特許文献２では、リモコン装置に、優先度の高い番組に切り替えるためのワンタッチ選局ボタンを新たに設ける必要があるため、リモコン装置のボタンが増えて、どのボタンがワンタッチ選局ボタンであるか判りづらくなったり、リモコン装置が使いづらくなるという弊害が生じる可能性がある。
【０００５】
本発明の課題は、チャンネルアップ／ダウンキーを利用して、ユーザにとってより使い勝手が良いチャンネル切替が可能な放送受信機を提供することである。
【課題を解決するための手段】
【０００６】
上記課題を解決するため、請求項１に記載の発明は、放送受信機において、優先チャンネル切替モードを設定又は解除する優先モード設定手段と、
優先チャンネルを設定する優先チャンネル設定手段と、
前記優先モード設定手段により前記優先チャンネル切替モードが設定されている場合に、チャンネルアップキー又はチャンネルダウンキーのうちの何れか一方のキーの操作に基づいて、前記優先チャンネル設定手段により設定された前記優先チャンネルに切り替える優先チャンネル切替手段と、
を備えることを特徴とする。
【０００７】
請求項２に記載の発明は、請求項１に記載の放送受信機において、前記優先モード設定手段は、前記優先チャンネル切替モードを設定又は解除するための優先モード設定キーを備え、
前記優先モード設定キーによる第１の操作に基づいて、前記優先チャンネル切替モードを設定又は解除する処理を実行する第１制御手段と、
前記優先モード設定キーによる第２の操作に基づいて、前記第１制御手段による処理と異なる予め設定された処理を実行する第２制御手段と、
を備えることを特徴とする。
【０００８】
請求項３に記載の発明は、請求項１又は２に記載の放送受信機において、前記優先チャンネル設定手段は、前記優先チャンネルを設定するための優先チャンネル設定キーを備え、
前記優先チャンネル設定キーによる第３の操作に基づいて、選局中のチャンネルを前記優先チャンネルとして設定する処理を実行する第３制御手段と、
前記優先チャンネル設定キーによる第４の操作に基づいて、前記第３制御手段による処理とは異なる予め設定された処理を実行する第４制御手段と、
を備えることを特徴とする。
【０００９】
請求項４に記載の発明は、請求項１又は２に記載の放送受信機において、前記優先チャンネル設定手段は、所定時間以上視聴されたチャンネルを前記優先チャンネルとして設定する処理を実行する第５制御手段を備えることを特徴とする。
【００１０】
請求項５に記載の発明は、放送受信機において、優先チャンネル切替モードを設定又は解除する優先モード設定手段と、
優先チャンネルを設定する優先チャンネル設定手段と、
前記優先モード設定手段により前記優先チャンネル切替モードが設定されている場合に、チャンネルアップキー又はチャンネルダウンキーのうちの何れか一方のキーの操作に基づいて、前記優先チャンネル設定手段により設定された前記優先チャンネルに切り替える優先チャンネル切替手段と、
前記優先モード設定手段は、前記優先チャンネル切替モードを設定又は解除するための優先モード設定キーを備え、
前記優先モード設定キーによる第１の操作に基づいて、前記優先チャンネル切替モードを設定又は解除する処理を実行する第１制御手段と、
前記優先モード設定キーによる第２の操作に基づいて、前記第１制御手段による処理と異なる予め設定された処理を実行する第２制御手段と、
を備え、
前記優先チャンネル設定手段は、前記優先チャンネルを設定するための優先チャンネル設定キーを備え、
前記優先チャンネル設定キーによる第３の操作に基づいて、選局中のチャンネルを前記優先チャンネルとして設定する処理を実行する第３制御手段と、
前記優先チャンネル設定キーによる第４の操作に基づいて、前記第３制御手段による処理とは異なる予め設定された処理を実行する第４制御手段と、
所定時間以上視聴されたチャンネルを前記優先チャンネルとして設定する処理を実行する第５制御手段と、
を備えることを特徴とする。
【発明の効果】
【００１１】
本発明によれば、優先モード設定手段により、優先チャンネル切替モードが設定又は解除され、優先チャンネル設定手段により、優先チャンネルが設定され、優先チャンネル切替手段により、優先モード設定手段により優先チャンネル切替モードが設定されている場合に、チャンネルアップキー又はチャンネルダウンキーのうちの何れか一方のキーの操作に基づいて、優先チャンネル設定手段により設定された優先チャンネルに切り替えられる。
したがって、優先チャンネル切替モードが設定されている場合に、チャンネルアップキー又はチャンネルダウンキーの何れか一方のキーを押下すれば、設定された優先チャンネルに切り替えられることとなる。即ち、チャンネルアップキー又はチャンネルダウンキーの操作によりチャンネルを順に切り替えている場合であっても、片手での容易な操作で、即座に優先チャンネルに切り替えることが可能となる。よって、チャンネルアップ／ダウンキーを利用して、ユーザにとってより使い勝手が良いチャンネル切替が可能な放送受信機を提供することができる。
【発明を実施するための最良の形態】
【００１２】
以下、本発明の実施の形態を、図面を参照しながら詳細に説明する。本実施形態では、放送受信機として、テレビジョン受像機を例に説明を行う。
【００１３】
図１は、本実施形態におけるテレビジョン受像機１００の要部構成を例示するブロック図である。
本実施形態のテレビジョン受像機１００は、図１に示すように、リモートコントローラ１と、このリモートコントローラ１により遠隔操作される受像機本体２と、を備えて構成されている。
【００１４】
リモートコントローラ（以下、「リモコン」と称する）１には、ユーザが受像機本体２に対して各種指示を入力するための複数のキーを備えるキー操作部１１が設けられている。
キー操作部１１には、例えば、電源キー３１、テンキー３２、メニューキー３３、ＥＰＧ（電子番組ガイド）表示キー３４、上キー・下キー・左キー・右キーから成るカーソルキー３５、決定キー３６、クリアキー３７、音声切替キー３８、リターンキー３９、チャンネルアップキー４０１及びチャンネルダウンキー４０２から成るチャンネルアップ／ダウンキー４０、ボリュームアップキー４１１及びボリュームダウンキー４１２から成るボリュームアップ／ダウンキー４１等が備わる。
キー操作部１１に備わるこれらのキーの各々には識別情報が割り当てられており、所定の記憶領域に記憶されている。そして、ユーザによりキー操作が行われると、操作されたキーの識別情報が読み出されて、当該識別情報に対応するリモコン信号が生成される。そして、生成されたリモコン信号が図示しない送信部から送信され、受像機本体２の前面パネル等に設けられたリモコン信号受光部３において受信される。
【００１５】
キー操作部１１に備わる各種キーのうち、メニューキー３３は、短押し操作（第２の操作）が行われた場合にのみ、表示部１３にメニュー画面を表示させるためのキーとして機能し、長押し操作（第１の操作）が行われた場合には、優先チャンネル切替モードを設定／解除するための優先モード設定キーとして機能する。
また、ＥＰＧ表示キー３４は、短押し操作（第４の操作）が行われた場合にのみ、表示部１３にＥＰＧを表示させるためのキーとして機能し、長押し操作（第３の操作）が行われた場合には、優先チャンネルを設定するための優先チャンネル設定キーとして機能する。
また、チャンネルアップキー４０１又はチャンネルダウンキー４０２の何れか一方のキーは、優先チャンネル切替モードの設定時において、優先チャンネルにダイレクトに切り替えるためのキーとして機能する。チャンネルアップキー４０１又はチャンネルダウンキー４０２のどちらを優先チャンネルに切り替えるためのキーとするかは、図３に例示するメニュー画面において予め設定することができ、ユーザは自分にとって使い勝手の良い方を選択することができる。
【００１６】
ここで、「優先チャンネル切替モード」とは、チャンネルアップキー４０１又はチャンネルダウンキー４０２の何れか一方のキーが、優先チャンネルにダイレクトに切り替えるためのキーとして機能するモードである。また、「通常モード」は、「優先チャンネル切替モード」の解除時に設定され、チャンネルアップキー４０１又はチャンネルダウンキー４０２の何れも、チャンネルを一つずつ順に切り替えるためのキーとして機能するモードである。
【００１７】
受像機本体２は、リモコン１からのリモコン信号を受信するリモコン信号受光部３、放送信号を受信するアンテナ４、アンテナ４により受信された放送信号から所定の周波数帯の放送信号を選局するチューナ部５、チューナ部５により選局された放送信号をトランスポートストリーム（ＴＳ）に復調する復調部６、復調部６により復調されたＴＳを分離する分離部７、分離部７により分離されたストリームを復号するビデオデコーダ８及びオーディオデコーダ９、ビデオデコーダ８により復号された映像信号に対して所定の映像処理を行う映像処理部１０、オーディオデコーダ９により復号された音声信号に対して所定の音声処理を行う音声処理部１１、映像処理部１０により処理された映像信号にＯＳＤデータを付加するＯＳＤ回路１２、映像処理部１０により処理された映像信号を出力する表示部１３、音声処理部１１により処理された音声信号を出力する音声出力部１４、テレビジョン受像機１００全体を統括制御する制御部１５等を備えており、各部はバスにより接続されている。
【００１８】
リモコン信号受光部３は、例えば、図示は省略するが、フォトダイオード、ＳＵＢＣＰＵ、増幅部、復調部、デコーダ等を備えて構成されており、リモコン１から送信されたリモコン信号を、前面パネル等に設けられたフォトダイオードにおいて受信すると、ＳＵＢＣＰＵの制御により、増幅部により増幅した後に復調部において復調し、さらに、デコーダにより波形整形、誤り訂正等の各種処理を行って、制御部１５に対して出力する。制御部１５では、入力されたリモコン信号から識別情報を取得し、取得した識別情報に基づいて操作されたキーの判別を行う。
【００１９】
アンテナ４は、例えば、地上デジタルアンテナ、ＢＳアンテナ、ＣＳアンテナ等であり、屋外において所定の方向に向けて配置され、図示しないテレビジョン放送局等から発信される高周波（RF）のデジタルテレビジョン放送信号を受信する。
チューナ部５は、例えば、図示は省略するが、高周波増幅回路と、局部発振回路及び混合回路から成る周波数変換回路と、を備えて構成されており、アンテナ４等により入力されたテレビジョン放送信号を、高周波増幅回路において増幅し、混合回路において局部発振回路から出力される局部発振信号と混合する。さらに、特定の周波数を選局するための制御部１５からの制御出力に応じて、特定周波数帯の中間周波信号（IF信号）を受信し、当該中間周波信号に所定の処理を行って復調部６に出力する。
【００２０】
復調部６は、例えば、制御部１５からの制御に基づいて、チューナ部５から出力された中間周波信号に対してデジタル復調や誤り訂正などの処理を実行し、ＴＳを生成して、分離部７に出力する。
【００２１】
分離部７は、復調部６から入力されるＴＳからビデオストリーム、オーディオストリーム、ＰＳＩ（Program Specific Information:番組特定情報）／ＳＩ（Service Information: 番組配列情報）を分離する。そして、ＴＳに含まれるＰＳＩに基づいて、入力されたＴＳから必要なＴＳパケットを分離する。さらに、分離されたＴＳパケットのうち、ＭＰＥＧ２（Moving Picture Experts Group 2）規格下のビデオストリームをビデオデコーダ８に、オーディオストリームをオーディオデコーダ９に、さらに、ＳＩを図示しないＥＰＧデコーダに出力する。
【００２２】
ビデオデコーダ８は、分離部７から入力されたビデオストリームを復号し、逆ＤＣＴ変換や動き補償制御等を行い、映像データを生成して映像処理部１０に出力する。また、オーディオデコーダ９は、分離部７から入力されたオーディオストリームを復号し、音声データを生成して音声処理部１１に出力する。
【００２３】
映像処理部１０は、ビデオデコーダ８から入力された映像データに対して、各種映像処理を施し、映像信号を生成する。また、音声処理部１１は、オーディオデコーダ９から入力された音声データに対して、Ｄ／Ａ変換等の各種音声処理を施し、音声信号を生成する。生成された映像信号は表示部１３に出力され、音声信号は音声出力部１４に出力される。
ＯＳＤ回路１２は、制御部１５からの指示出力に応じて生成したＯＳＤデータを、映像処理部１０から出力される映像信号に合成させ、表示部１３に出力させる。
【００２４】
表示部１３は、例えば、ＬＣＤ（Liquid Crystal Display）、ＰＤＰ（Plasma Display Panel）等の図示しないディスプレイを備え、映像処理部１０から入力された映像信号に基づく映像をディスプレイに表示させる。
音声出力部１４は、例えば、図示しないスピーカ等を備え、音声処理部１１から入力された音声信号に基づく音声をスピーカから出力させる。
【００２５】
制御部１５は、ＣＰＵ（Central Processing Unit）１５１、計時処理を行う計時部１５２、メモリ部１５３、ＲＯＭ（Read Only Memory）１５４、を備えて構成されている。
【００２６】
ＣＰＵ１５１は、受像機本体２の各部から入力された入力信号や、リモコン１における各種キーの押下操作によって入力された入力操作信号等に応じて、ＲＯＭ１５４に格納された各種プログラムを実行するとともに、実行にかかるプログラムに基づいて受像機本体２の各部に出力信号を出力することにより、テレビジョン受像機１００の動作全般を統括制御する。
【００２７】
メモリ部１５３は、例えば、ＲＡＭ（Random Access Memory）等の揮発性メモリからなるワークエリア１５３１を備えており、ＣＰＵ１５１によって各種プログラムが実行される際に生じる処理結果や、入力されたデータ等をこのワークエリア１５３１に記憶させる。
また、メモリ部１５３は、ＥＰＲＯＭ（Erasable Programmable ROM）等の不揮発性メモリからなるデータエリア１５３２を備えている。データエリア１５３２は、例えば、設定モード記憶部１５３２ａと、優先チャンネル記憶部１５３２ｂとが備わる。
設定モード記憶部１５３２ａは、後述の優先モード設定プログラム１５４ａの実行において設定されたモード（優先チャンネル切替モード／通常モード）を記憶する。
また、優先チャンネル記憶部１５３２ｂは、後述の優先チャンネル設定プログラム１５４ｃの実行において優先チャンネルとして設定されたチャンネルを記憶する。
【００２８】
ＲＯＭ１５４は、不揮発性メモリから成るプログラム格納エリアを有しており、具体的には、優先モード設定プログラム１５４ａ、メニュー画面表示制御プログラム１５４ｂ、優先チャンネル設定プログラム１５４ｃ、ＥＰＧ画面表示制御プログラム１５４ｄ、優先チャンネル切替プログラム１５４ｅ等を記憶している。
【００２９】
優先モード設定プログラム１５４ａは、例えば、ＣＰＵ１５１に、優先チャンネル切替モードを設定又は解除する機能を実現させるためのプログラムである。当該優先モード設定プログラム１５４ａは、優先チャンネル切替モードを設定又は解除するためのメニューキー（優先モード設定キー）３３を備え、当該優先モード設定キーとしてのメニューキー３３による第１の操作（例えば、長押し操作）に基づいて、優先チャンネル切替モードを設定又は解除する処理を実行する。
具体的には、ユーザは、長押し時には優先モード設定キー、短押し時にはメニューキーとして機能するメニューキー３３を長押し操作して、優先チャンネル切替モードの設定又は解除を指示する。ＣＰＵ１５１は、リモコン信号受光部３からの信号に基づいて、メニューキー３３が長押し操作されたと判断すると、優先チャンネル切替モードの設定／解除が指示されたと判断する。そして、設定されているモードが通常モードである場合には、優先チャンネル切替モードを設定し、設定されているモードが優先チャンネル切替モードである場合には、優先チャンネル切替モードの設定を解除して、通常モードを設定する。さらに、設定したモードを、設定モード記憶部１５３２ａに記憶させる。
ＣＰＵ１５１は、かかる優先モード設定プログラム１５４ａを実行することにより、優先モード設定キーとしてのメニューキー３３とともに、優先モード設定手段、第１制御手段として機能する。
【００３０】
メニュー画面表示制御プログラム１５４ｂは、例えば、ＣＰＵ１５１に、優先モード設定キーとしてのメニューキー３３による第２の操作（例えば、短押し操作）に基づいて、優先モード設定プログラム１５４ａによる処理とは異なる予め設定された処理（例えば、メニュー画面表示処理）を実行する機能を実現させるためのプログラムである。
具体的には、ユーザは、長押し時には優先モード設定キー、短押し時にはメニューキーとして機能するメニューキー３３を短押し操作して、メニュー画面の表示を指示する。ＣＰＵ１５１は、リモコン信号受光部３からの信号に基づいて、メニューキー３３が短押し操作されたと判断すると、メニュー画面の表示が指示されたと判断する。そして、ＲＯＭ１５４等に記憶されているメニュー画面用のデータを読み出してメニュー画面表示用データを生成し、表示部１３にメニュー画面を表示させる。
ＣＰＵ１５１は、かかるメニュー画面表示制御プログラム１５４ｂを実行することにより、第２制御手段として機能する。
【００３１】
優先チャンネル設定プログラム１５４ｃは、例えば、ＣＰＵ１５１に、優先チャンネルを設定する機能を実現させるためのプログラムである。当該優先チャンネル設定プログラム１５４ｃは、優先チャンネルを設定するためのＥＰＧ表示キー（優先チャンネル設定キー）３４を備え、当該優先チャンネル設定キーとしてのＥＰＧ表示キー３４による第３の操作（例えば、長押し操作）に基づいて、選局中のチャンネルを優先チャンネルとして設定する処理を実行する。また、当該優先チャンネル設定プログラム１５４ｃは、所定時間以上視聴されたチャンネルを優先チャンネルとして設定する処理を実行する。
具体的には、ユーザは、長押し時には優先チャンネル設定キー、短押し時にはＥＰＧ表示キーとして機能するＥＰＧ表示キー３４を長押し操作して、優先チャンネルの設定を指示する。ＣＰＵ１５１は、リモコン信号受光部３からの信号に基づいて、ＥＰＧ表示キー３４が長押し操作されたと判断すると、優先チャンネルの設定が指示されたと判断する。そして、選局中のチャンネルを優先チャンネルとして設定し、設定した優先チャンネルを優先チャンネル記憶部１５３２ｂに記憶させる。
即ち、例えば、チャンネル「５」の視聴中に、ＥＰＧ表示キー３４を長押しすると、チャンネル「５」が優先チャンネルとして設定されることとなる。
【００３２】
また、あるチャンネルが連続して所定時間以上（例えば、６０分以上）視聴された場合に、ＣＰＵ１５１は、所定時間以上視聴された当該チャンネルを優先チャンネルとして設定し、設定した優先チャンネルを優先チャンネル記憶部１５３２ｂに記憶させる。
即ち、例えば、ユーザが、チャンネル「７」を視聴している場合、６０分間連続してこのチャンネルを視聴した時点で、チャンネル「７」が優先チャンネルとして自動的に設定されることとなる。
なお、優先チャンネルの設定方法は上記方法に限られない。例えば、優先チャンネル設定キーによる第３の操作が行われた場合に選局中のチャンネルを優先チャンネルとして設定する方法のみを採用しても良く、また、所定時間以上視聴されたチャンネルを優先チャンネルとして設定する方法のみを採用しても良い。また、所定時間以上視聴されたチャンネルを優先チャンネルとして設定するための視聴時間の長さを、ユーザが予め設定できる設定手段が設けられていても良い。
ＣＰＵ１５１は、かかる優先チャンネル設定プログラム１５４ｃを実行することにより、優先チャンネル設定キーとしてのＥＰＧ表示キー３４とともに、優先チャンネル設定手段、第３制御手段、第５制御手段として機能する。
【００３３】
ＥＰＧ画面表示制御プログラム１５４ｄは、例えば、ＣＰＵ１５１に、優先チャンネル設定キーとしてのＥＰＧ表示キー３４による第４の操作（例えば、短押し操作）に基づいて、優先チャンネル設定プログラム１５４ｃによる処理とは異なる予め設定された処理（例えば、ＥＰＧ画面表示処理）を実行する機能を実現させるためのプログラムである。
具体的には、ユーザは、長押し時には優先チャンネル設定キー、短押し時にはＥＰＧ表示キーとして機能するＥＰＧ表示キー３４を短押し操作して、ＥＰＧ画面の表示を指示する。ＣＰＵ１５１は、リモコン信号受光部３からの信号に基づいて、ＥＰＧ表示キー３４が短押し操作されたと判断すると、ＥＰＧ画面の表示が指示されたと判断する。そして、図示しないＥＰＧメモリに記憶されているＥＰＧデータを読み出してＥＰＧ表示用データを生成し、表示部１３にＥＰＧ画面を表示させる。
ＣＰＵ１５１は、かかるＥＰＧ画面表示制御プログラム１５４ｄを実行することにより、第４制御手段として機能する。
【００３４】
優先チャンネル切替プログラム１５４ｅは、例えば、ＣＰＵ１５１に、優先モード設定プログラム１５４ａの実行により優先チャンネル切替モードが設定されている場合に、チャンネルアップキー４０１又はチャンネルダウンキー４０２のうちの何れか一方のキーの操作に基づいて、優先チャンネル設定プログラム１５４ｃの実行により設定された優先チャンネルに切り替える機能を実現させるためのプログラムである。
具体的には、優先チャンネル切替モードの設定時に、ユーザにより、チャンネルアップキー４０１又はチャンネルダウンキー４０２のうち、優先チャンネルに切り替えるためのキーとして予めメニュー画面（図３参照）等において設定されたキーが操作されると、ＣＰＵ１５１は、優先チャンネルへの切替が指示されたと判断する。そして、優先チャンネル記憶部１５３２ｂを参照して、設定されている優先チャンネルにダイレクトに切り替える。
また、優先チャンネル切替モードの設定時に、ユーザにより、チャンネルアップキー４０１又はチャンネルダウンキー４０２のうち、優先チャンネルに切り替えるためのキーとして設定されていない方のキーが操作されると、ＣＰＵ１５１は、チャンネルのアップ又はダウンが指示されたと判断して、選局中のチャンネルの一つ先／後のチャンネルに切り替える。
また、優先チャンネル切替モードの解除時には、ユーザにより、チャンネルアップキー４０１又はチャンネルダウンキー４０２のうち、優先チャンネルに切り替えるためのキーとして予め設定されたキーが操作された場合であっても、ＣＰＵ１５１は、優先チャンネルへの切替が指示されたと判断せずに、チャンネルのアップ又はダウンが指示されたと判断して、選局中のチャンネルの一つ先／後のチャンネルに切り替える。
ＣＰＵ１５１は、かかる優先チャンネル切替プログラム１５４ｅを実行することにより、優先チャンネル切替手段として機能する。
【００３５】
ここで、例えば、優先チャンネルがチャンネル「７」である場合におけるチャンネル切替処理について説明する。なお、チャンネルアップキー４０１とチャンネルダウンキー４０２のうち、例えば、チャンネルダウンキー４０２が、優先チャンネルに切り替えるためのキーとして設定されていることとする。
例えば、選局中のチャンネルがチャンネル「２」である場合に、ユーザが、優先チャンネルに切り替えるためのキーとして設定されたチャンネルダウンキー４０２を操作する。すると、ＣＰＵ１５１は、優先チャンネル切替モードが設定されているか又は解除されているかを判断する。
そして、優先チャンネル切替モードが設定されている場合には、ＣＰＵ１５１は、優先チャンネル記憶部１５３２ｂから優先チャンネル「７」を読み出して、チューナ部５に選局指示を出力し、設定された優先チャンネル「７」にダイレクトに切り替える。
一方、優先チャンネル切替モードが解除されている場合には、ＣＰＵ１５１は、チューナ部５に選局指示を出力し、選局中のチャンネル「２」の一つ後のチャンネル「１」に切り替える。
【００３６】
上記具体例において示すように、優先チャンネル切替モードの設定時には、チャンネルアップキー４０１及びチャンネルダウンキー４０２のうち、優先チャンネルに切り替えるためのキーとして設定された一方のキーを操作するだけで、優先チャンネルに即座に切り替えられることとなる。したがって、チャンネルアップ／ダウンキー４０によりチャンネルを順に切り替えていく場合と比較して、操作の短縮化を図ることができる。
また、優先チャンネルに切り替えるためのキーは、チャンネルアップキー４０１又はチャンネルダウンキー４０２の何れか一方のキーであるため、例えば、優先チャンネルの視聴中に、チャンネルアップキー４０１又はチャンネルダウンキー４０２を操作して、一時的に他のチャンネルに移動した場合であっても、片手による容易な操作で、即座に優先チャンネルへ復帰することができ、元のチャンネルの見逃しを防いだり、優先チャンネルに戻るのに時間や手間がかかることに起因するユーザのストレスを防止することができる。
更に、チャンネルアップキー４０１とチャンネルダウンキー４０２とは、通常、リモコン１において隣接して設けられているため、リモコン１のボタンの配置を目で確認することなく、優先チャンネルにダイレクトに切り替えるための操作を行うことができ、映像の見逃しを防ぐことができる。
また、優先チャンネル切替モードは、設定及び解除が可能であるため、必要な場合のみ優先チャンネル切替モードを設定し、不必要な場合には、優先チャンネル切替モードを解除して、チャンネルアップキー４０１によるチャンネルの順次切り替えと、チャンネルダウンキー４０２によるチャンネルの順次切り替えの両方を行うことができる。
【００３７】
ここで、図４のフローチャートを参照しながら、チャンネル切替処理について説明する。なお、この処理の説明において、チャンネルアップキー４０１とチャンネルダウンキー４０２のうち、優先チャンネルに切り替えるためのキーとして設定されているキーを、「チャンネル切替キー」ということとする。
まず、ステップＳ１において、ＣＰＵ１５１は、チャンネル切替キーが操作されたか否かを判断する。ＣＰＵ１５１は、ステップＳ１において、チャンネル切替キーが操作されたと判断すると、設定モード記憶部１５３２ａに記憶されているモードを参照し、ステップＳ２において、優先チャンネル切替モードが設定されているか否かを判断する。
ＣＰＵ１５１は、ステップＳ２において、優先チャンネル切替モードが設定されていないと判断すると（ステップＳ２；Ｎｏ）、ステップＳ３に進み、チューナ部５にチャンネル選局指示を出力して、選局中のチャンネルの一つ先／前のチャンネルに切り替え、ステップＳ１に戻る。
一方、ＣＰＵ１５１は、ステップＳ２において、優先チャンネル切替モードが設定されていると判断すると（ステップＳ２；Ｙｅｓ）、ステップＳ４に進み、優先チャンネル記憶部１５３２ｂを参照して、チューナ部５にチャンネル選局指示を出力し、予め設定された優先チャンネルに切り替え、ステップＳ１に戻る。
【００３８】
以上説明した本実施形態におけるテレビジョン受像機１００によれば、優先モード設定プログラム１５４ａの実行により、優先チャンネル切替モードが設定又は解除され、優先チャンネル設定プログラム１５４ｃの実行により、優先チャンネルが設定され、優先チャンネル切替プログラム１５４ｅの実行により、優先モード設定プログラム１５４ａの実行により優先チャンネル切替モードが設定されている場合に、チャンネルアップキー４０１又はチャンネルダウンキー４０２のうちの何れか一方のキーの操作に基づいて、優先チャンネル設定プログラム１５４ｃの実行により設定された優先チャンネルに切り替えられる。
したがって、優先チャンネル切替モードが設定されている場合に、チャンネルアップキー４０１又はチャンネルダウンキー４０２の何れか一方のキーを押下すれば、設定された優先チャンネルに切り替えられることとなる。即ち、チャンネルアップキー４０１又はチャンネルダウンキー４０２の操作によりチャンネルを順に切り替えている場合であっても、片手での容易な操作で、即座に優先チャンネルに切り替えることが可能となる。よって、チャンネルアップ／ダウンキーを利用して、ユーザにとってより使い勝手が良いチャンネル切替が可能な放送受信機を提供することができる。また、チャンネルアップ／ダウンキー４０によりチャンネルを順に切り替えていく場合と比較して、操作の短縮化を図ることができる。
【００３９】
また、優先チャンネルに切り替えるためのキーは、チャンネルアップキー４０１又はチャンネルダウンキー４０２の何れか一方のキーであるため、例えば、優先チャンネルの視聴中に、チャンネルアップキー４０１又はチャンネルダウンキー４０２を操作して、一時的に他のチャンネルに移動した場合であっても、片手による容易な操作で、即座に優先チャンネルへ復帰することができ、元のチャンネルの見逃しを防いだり、優先チャンネルに戻るのに時間や手間がかかることに起因するユーザのストレスを防止することができる。更に、チャンネルアップキー４０１とチャンネルダウンキー４０２とは、通常、リモコン１において隣接して設けられているため、リモコン１のボタンの配置を目で確認することなく、優先チャンネルにダイレクトに切り替えるための操作を行うことができ、映像の見逃しを防ぐことができる。
【００４０】
また、優先モード設定プログラム１５４ａには、優先チャンネル切替モードを設定又は解除するための優先モード設定キーが備わり、優先モード設定キーによる第１の操作に基づいて、優先チャンネル切替モードを設定又は解除する処理が実行され、メニュー画面表示制御プログラム１５４ｂの実行により、優先モード設定キーによる第２の操作に基づいて、優先モード設定プログラム１５４ａによる処理と異なる予め設定された処理が実行される。
即ち、優先チャンネル切替モードは設定及び解除が可能であるため、必要な場合のみ優先チャンネル切替モードを設定し、不必要な場合には、優先チャンネル切替モードを解除して、チャンネルアップキー４０１によるチャンネルの順次切替と、チャンネルダウンキー４０２によるチャンネルの順次切替の両方を行うことができる。また、リモコン１に、優先チャンネル切替モードを設定又は解除するための専用のキーを設ける必要が無いため、リモコン１のキーが増えることに起因するリモコン１の操作性の悪化を防止しつつ、リモコン１による容易な操作で、優先チャンネル切替モードの設定及び解除を行うことができる。
【００４１】
また、優先チャンネル設定プログラム１５４ｃは、優先チャンネルを設定するための優先チャンネル設定キーを備え、優先チャンネル設定キーによる第３の操作に基づいて、選局中のチャンネルを優先チャンネルとして設定する処理が実行され、ＥＰＧ画面表示制御プログラム１５４ｄの実行により、優先チャンネル設定キーによる第４の操作に基づいて、優先チャンネル設定プログラム１５４ｃの実行による処理とは異なる予め設定された処理が実行される。
したがって、リモコン１による容易な操作により、所望のチャンネルを優先チャンネルとして設定することができ、ユーザにとって使い勝手が良い。また、リモコン１に、優先チャンネルを設定するための専用のキーを設ける必要が無いため、リモコン１のキーが増えることに起因するリモコン１の操作性の悪化を防止しつつ、リモコン１による容易な操作で、優先チャンネルの設定を行うことができる。
【００４２】
更に、優先チャンネル設定プログラム１５４ｃにより、所定時間以上視聴されたチャンネルが優先チャンネルとして設定する処理が実行される。
したがって、ユーザが優先チャンネルを設定するための特別な操作を行わなくても、ユーザが視聴を望む可能性のより高いチャンネルが自動的に優先チャンネルとして設定されることとなって、優先チャンネルを設定するための操作にかかるユーザの負担を減らして、使い勝手が更に向上することとなる。
【００４３】
なお、本発明は、上記実施の形態に限られることなく、本発明の趣旨を逸脱しない範囲において種々の改良並びに設計の変更を行っても良い。
例えば、設定されているモードを報知するためのＬＥＤ（図示省略）が、リモコン１や受像機本体２の前面パネル等に設けられていても良い。
【図面の簡単な説明】
【００４４】
【図１】本実施形態におけるテレビジョン受像機の全体構成を例示するブロック図である。
【図２】リモートコントローラの平面図である。
【図３】チャンネルアップキー又はチャンネルダウンキーのうち、優先チャンネルにダイレクトに切り替えるためのキーとして設定するキーを選択するためのメニュー画面を例示する図である。
【図４】チャンネル切替処理を示すフローチャートである。
【符号の説明】
【００４５】
１００        テレビジョン受像機（放送受信機）
３３          メニューキー（優先モード設定キー）
３４          ＥＰＧ表示キー（優先チャンネル設定キー）
１５１        ＣＰＵ（優先モード設定手段、優先チャンネル設定手段、第１制御手段、第２制御手段、第３制御手段、第４制御手段、第５制御手段）
１５４ａ      優先モード設定プログラム（優先モード設定手段、第１制御手段）
１５４ｂ      メニュー画面表示制御プログラム（第２制御手段）
１５４ｃ      優先チャンネル設定プログラム（優先チャンネル設定手段、第３制御手段、第５制御手段）
１５４ｄ      ＥＰＧ画面表示制御プログラム（第４制御手段）
１５４ｅ      優先チャンネル切替プログラム
【図１】
2009055106.tif 000003
【図２】
2009055106.tif 000004
【図３】
2009055106.tif 000005
【図４】
2009055106.tif 000006